(57)【要約】【課題】【解決手段】本発明は、注射可能な製剤の設定された投薬量を注射装置から投与する投薬量設定装置１に関する。上記投薬量設定装置は、その周縁の回りにて伸び且つ歯部３を支承するねじを有するねじ付きロッド２を備えている。ねじ付きロッド２の周方向に向けてねじに沿って伸びる歯部３の隣接する歯は、上記周縁方向に向けて互いに第一の距離Ａ１に位置する。投薬量設定装置は、注射装置又は注射装置のハウジング部分と接続され、また、ねじ付きロッド２と係止する少なくとも１つの保持要素５ａ、５ｂを有する第一の回転制限要素４と、注射装置の回転スリーブと接続され、ねじ付きロッド２と係止する少なくとも１つの保持要素５ａ、５ｂを有する第二の回転制限要素４とを備えている。第二の回転制限要素４は、第一の回転制限要素４からある距離に配設され、回転制限要素４の保持要素５ａ、５ｂは、ねじ付きロッド２が第一の距離Ａ１よりも短い距離だけ回転制限要素４の少なくとも１つに対して回転したとき、保持要素５ａ、５ｂが中間位置にて係止することができるような態様にて配置され又は形成される。
2008532581.tif 000002
【特許請求の範囲】
【請求項１】
周方向に伸びる歯部（３）を支承するねじを有するねじ付きロッド（２）であって、ねじ付きロッド（２）の周方向に向けてねじに沿った歯部の隣接する歯が周方向に向けて互いに第一の距離（Ａ１）に配設された前記ねじ付きロッド（２）と、
注射装置又は注射装置のハウジング部分と接続された第一の回転制限要素（４）であって、少なくとも１つの捕捉要素（５ａ、５ｂ）、特に、１つ、２つ、３つ又は４つの捕捉要素（５ａ、５ｂ）がねじ付きロッド（２）の歯部（３）と掛け止めする前記第一の回転制限要素（４）と、
注射装置の回転スリーブと接続された第二の回転制限要素（４）であって、少なくとも１つの捕捉要素（５ａ、５ｂ）、特に、２つ、３つ又は４つの捕捉要素（５ａ、５ｂ）がねじ付きロッド（２）の歯部（３）と掛け止めする前記第二の回転制限要素（４）とを備える、注射可能な製剤の設定された投薬量を注射装置から投与する投薬量設定機構（１）において、
回転制限要素（４）の少なくとも１つの捕捉要素（５ａ、５ｂ）は、ねじ付きロッド（２）が第一の距離（Ａ１）よりも短い距離だけ回転制限要素（４）の少なくとも一方に対して回転したとき、少なくとも１つの捕捉要素（５ａ、５ｂ）が中間位置にて掛け止めすることができるよう配設されることを特徴とする、注射可能な製剤の設定された投薬量を注射装置から投与する投薬量設定機構。
【請求項２】
請求項１に記載の投薬量設定機構（１）において、ねじ付きロッド（２）の長手方向に向けた隣接する歯が、第一の距離（Ａ１）の１／２に相応する距離だけ周方向に向けて互いに変位した状態に配設される、投薬量設定機構（１）。
【請求項３】
請求項１又は２に記載の投薬量設定機構（１）において、少なくとも１つの回転制限要素（４）は、ｎ個の捕捉要素（５ａ、５ｂ）を有し、ねじ付きロッド（２）の長手方向に向けた隣接する歯は、第一の距離（Ａ１）の１／ｎだけ周方向に向けて互いに変位した状態に配設される、投薬量設定機構（１）。
【請求項４】
請求項１に記載の投薬量設定機構（１）において、ねじ付きロッド（２）の長手方向に向けた隣接する歯は、周方向に向けて同一の位置に配設される、投薬量設定機構（１）。
【請求項５】
請求項１ないし４の何れか１つの項に記載の投薬量設定機構（１）において、回転制限要素（４）の少なくとも１つは、２つの捕捉要素（５ａ、５ｂ）を有し、捕捉要素（５ａ、５ｂ）の係合先端（６ａ、６ｂ）は、ねじ付きロッドの周方向に向けて互いに隔てられ、距離は、第一の距離（Ａ１）の倍数ではない予め規定された変位程度である、投薬量設定機構（１）。
【請求項６】
請求項１ないし５の何れか１つの項に記載の投薬量設定機構（１）において、回転制限要素（４）の少なくとも１つは、ｎ個の捕捉要素（５ａ、５ｂ）を有し、捕捉要素（５ａ、５ｂ）の係合する先端（６ａ、６ｂ）は、ねじ付きロッドの周方向に向けて互いに隔てられ、距離は、第一の距離（Ａ１）の倍数ではない予め規定された変位程度であり、変位程度は第一の距離（Ａ１）の１／ｎに相応する、投薬量設定機構（１）。
【請求項７】
請求項１ないし６の何れか１つの項に記載の投薬量設定機構（１）において、少なくとも１つの捕捉要素（５ａ、５ｂ）は、少なくとも２つ、特に、２つ、３つ、４つの係合要素（７ａ、７ｂ）を有し、係合要素（７ａ、７ｂ）は、互いに一定の係合要素の距離にてそれぞれ配設される、投薬量設定機構（１）。
【請求項８】
請求項１ないし７の何れか１つの項に記載の投薬量設定機構（１）において、少なくとも１つの捕捉要素（５ａ、５ｂ）は、ｎ個の係合要素（７ａ、７ｂ）を有し、係合要素（７ａ、７ｂ）は、互いに一定の係合要素の距離にてそれぞれ配設され、係合要素の距離は第一の距離（Ａ１）の１／ｎに相応する、投薬量設定機構（１）。
【請求項９】
請求項１ないし８の何れか１つの項に記載の投薬量設定機構（１）において、ねじ付きロッド（２）の長手方向に向けた歯部（３）の隣接する歯の少なくとも２つは、長手方向に向けて互いに第二の距離（Ａ２）に配設される、投薬量設定機構（１）。
【請求項１０】
請求項９に記載の投薬量設定機構（１）において、回転制限要素（４）の少なくとも１つは、少なくとも２つの捕捉要素（５ａ、５ｂ）を有し、捕捉要素（５ａ、５ｂ）は、第二の距離（Ａ２）だけねじ付きロッド（２）の長手方向に向けて互いに隔てられる、投薬量設定機構（１）。
【請求項１１】
請求項１ないし１０の何れか１つの項に記載の投薬量設定機構（１）において、捕捉要素（５ａ、５ｂ）は、ねじ付きロッド（２）の歯部（３）の少なくとも２つの歯、特に、２つ、３つ、４つ又はｎ個の歯に沿ってねじ付きロッド（２）の長手方向に向けて伸びるようにされる、投薬量設定機構（１）。
【請求項１２】
請求項１ないし１１の何れか１つの項に記載の投薬量設定機構（１）において、投薬量設定機構（１）が第一の状態にあるとき、第一の捕捉要素（５ａ、５ｂ）の接触側部が歯部（３）の歯の協働する止め部に対向する位置に位置し、第二の捕捉要素（５ａ、５ｂ）の接触側部が歯部（３）の歯の協働する止め部に対向する位置に位置せず、第二の状態にあるとき、第二の捕捉要素（５ａ、５ｂ）の接触側部が歯部（３）の歯の協働する止め部に対向する位置に位置し、第一の捕捉要素（５ａ、５ｂ）の接触側部が歯部（３）の歯の協働する止め部に対向する位置に位置しないような、捕捉要素（５ａ、５ｂ）の間の変位程度であるようにした、投薬量設定機構（１）。
【請求項１３】
請求項１ないし１２の何れか１つの項に記載の投薬量設定機構（１）において、第二の距離（Ａ２）は、第一の距離（Ａ１）よりも短く又は第一の距離（Ａ１）は第二の距離（Ａ２）よりも短い、投薬量設定機構（１）。
【請求項１４】
請求項１ないし１３の何れか１つの項に記載の投薬量設定機構（１）において、回転制限要素（４）は、ねじ付きロッド（２）に対して軸方向に動かすことができる、投薬量設定機構（１）。
【請求項１５】
請求項１ないし１４の何れか１つの項に記載の投薬量設定機構（１）において、歯部（３）の歯は、ねじ付きロッド（２）の長手方向軸線に沿った第一の部分にて、ねじ付きロッド（２）の周方向に向けて互いに一定の距離にそれぞれ配設され、ねじ付きロッド（２）の長手方向軸線に沿った第二の隣接する部分にて、ねじ付きロッド（２）の周方向に向けて互いに相違する一定の距離にそれぞれ配設され、第一の部分における歯の距離と、第二の部分における歯の距離とは相違する、投薬量設定機構（１）。
【請求項１６】
その回りを伸びるねじ形状の案内溝（１１）を有するねじ付きロッド（２）であって、ねじ付きロッド（２）の長手方向軸線に対して平行な線に沿って特に配設された複数の係合要素（１２）を有する前記ねじ付きロッド（２）と、
注射装置又は注射装置のハウジング部分と接続され、ねじ付きロッド（２）を特に、完全に取り囲む第一の回転制限要素（４）であって、案内溝（１１）内に係合するよう回転制限要素（４）の内面に設けられた案内要素（１３）と、係合要素（１２）と噛み合うよう回転制限要素（４）を内面に配設された歯部（１４）とを有する前記第一の回転制限要素（４）とを備え、第一の回転制限要素（４）の長手方向に向けて回転制限要素（４）の周方向に向けた同一の位置に配設された歯部（１４）の隣接する歯は、周方向に向けて互いに第一の距離（Ａ１）に配設され、
注射装置の回転スリーブと接続され、ねじ付きロッド（２）を特に、完全に取り囲む第二の回転制限要素（４）であって、案内溝（１１）内に係合するよう回転制限要素（４）の内面に配設された案内要素（１３）と、係合要素（１２）と噛み合うよう回転制限要素（４）を内面に配設された歯部（１４）とを有する前記第二の回転制限要素（４）とを備え、第二の回転制限要素（４）の長手方向に向けて回転制限要素（４）の周方向に向けた同一の位置に配設された歯部（３）の隣接する歯は、周方向に向けて互いに第一の距離（Ａ１）に配設されようにした、注射可能な製剤の設定された投薬量を注射装置から投与する投薬量設定機構（１）において、
ねじ付きロッド（２）が第一の距離（Ａ１）よりも短い距離だけ回転制限要素（４）の少なくとも１つに対して回転したとき、係合要素（１２）の少なくとも１つは、中間位置にて歯部（１４）と掛け止めし得るように回転制限要素（４）の歯部（３）が配設されることを特徴とする、注射可能な製剤の設定された投薬量を注射装置から投与する投薬量設定機構。
【請求項１７】
請求項１６に記載の投薬量設定機構（１）において、歯部（１４）は、回転制限要素（４）の長手方向に向けて互いに変位した少なくとも２つ、特に、２つ、３つ、４つ、５つ又は６つの組みの部分歯部（１４ａ、１４ｂ）を備え、回転制限要素（４）の長手方向に向けた隣接する組みの部分歯部（１４ａ、１４ｂ）の隣接する歯は、特に、第一の距離（Ａ１）の１／２又は１／３又は１／４又は１／５又は１／６に相応する距離だけ回転制限要素（４）の周方向に向けて互いに変位した状態に配設される、投薬量設定機構（１）。
【請求項１８】
請求項１６又は１７に記載の投薬量設定機構（１）において、歯部（１４）は、回転制限要素（４）の全長に渡って配設される、投薬量設定機構（１）。
【請求項１９】
請求項１６ないし１８の何れか１つの項に記載の投薬量設定機構（１）において、回転制限要素（４）の長手方向軸線に沿って配設された第一の部分における歯部（１４）の歯は、回転制限要素（４）の周方向に向けて互いに一定の距離にそれぞれ配設され、回転制限要素（４）の長手方向軸線に沿った隣接する第二の部分において、歯部（１４）の歯は、回転制限要素（４）の周方向に向けて相違する一定の距離にそれぞれ配設され、第一の部分における歯の距離と第二の部分における歯の距離とは相違する、投薬量設定機構（１）。
【請求項２０】
請求項１ないし１９の何れか１つの項に記載の投薬量設定機構（１）を備える注射装置。
【発明の詳細な説明】
【技術分野】
【０００１】
本発明は、注射可能な製剤の設定された投薬量を投与する注射装置用の投薬量設定機構であって、周方向に伸びる歯部を支承するねじを有するねじ付きロッドを備え、例えば、通常、歯の間の距離が短いねじ付きロッドであることを必要とする注射可能な製剤の精密な投薬量を設定することができる、上記の投薬量設定機構に関する。
【背景技術】
【０００２】
米国特許明細書６，３２５，００４号は、医薬を含むカートリッジを保持するホルダを収容するハウジングと、非円形の断面及び外ねじを有するプランジャロッドと、プランジャロッド駆動体と、内側係止溝の王冠形状のリングを有し、該王冠形状のリングは、ハウジングにて一体化することができる一方向継手と、少なくとも１対の弾性アームを有し、アームの各々は自由端を有するロックとを備える、カートリッジから医薬の設定可能な投薬量を投与する注射器に関する。
【発明の開示】
【発明が解決しようとする課題】
【０００３】
既知の投薬量設定機構は、注射可能な投薬量を設定する１組みの歯部に近接して位置する多数の歯を有するねじ付きロッドを備えている。しかし、かかるねじ付きロッドは、製造することが技術的に極めて複雑である。
【０００４】
本発明の１つの目的は、先行技術による不利益な点を解決することである。本発明の別の目的は、注射可能な製剤の少量の投薬量を設定し且つ投与することを可能にする、製造が容易な注射装置用の投薬量設定機構を提案することである。
【課題を解決するための手段】
【０００５】
この目的は、独立請求項に記載された主題事項に基づいて実現される。有利な実施の形態は、従属請求項に規定されている。
本発明により提案される投薬量設定機構は、注射可能な製剤の投薬量を投与するための注射装置内にて使用され、精密な投薬量を設定し且つ投与することを可能にする。かかる注射装置は、ハウジング又はハウジング要素又はハウジング部分を有し、１回の当初の投薬量を設定し又は、注射装置を調節し又は幾つかの異なる投薬量を設定する設定装置が回転可能であるよう注射装置内に取り付けられることが好ましい。かかる設定スリーブ内にて、注射装置又は注射装置のハウジング部分の内ねじに係合することができる外ねじを有する回転スリーブを回転可能に取り付けることができる。特に、回転スリーブと接続されることが好ましい、回転ノブすなわち設定ノブを回すことにより投薬量を設定することができる。投薬量を設定すべく回転ノブを回すことにより、投薬量設定ノブは、注射可能な製剤が分与される方向に対して反対方向に向けて回転スリーブと共に、設定スリーブに対して動かすことができる。更に、投薬量は、最初に、設定スリーブを回すことにより設定し、次に、回転ノブを引っ張ることによりプライミングされ、回転ノブは、回転スリーブと共に、注射可能な製剤が分与される方向に対して反対方向に動く。予め設定した投薬量を分与するため、回転ノブを分与方向に向けて押すことができ、その結果、回転ノブ内に回転可能に取り付けられた回転スリーブを、注射装置内にねじ込むことができ、ねじ付きロッドは回転して動かすことができる。ねじ付きロッドは、ねじ付きロッドの正面に対向して配設された止め部をアンプル内に押してアンプル内に保持された物質を圧縮し、このため、予め設定された投薬量を分与することができる。
【０００６】
注射可能な製剤の設定された投薬量を注射装置から投与するため、本発明により提案された投薬量機構は、ねじ付きロッドを備え、ねじ付きロッドの回りを伸びるねじを有し、該ねじは、歯部を支承し又はその上に歯部が形成される。歯部は、周方向に向けて互いに好ましくは一定の第一の距離にてねじのねじピッチに沿って配設される複数の歯を有している。各々、歯部を有する幾つかのねじは、ねじロッド上に設けることができ、この場合、ねじの歯部の歯は、周方向に向けてねじ付きロッドのそれぞれのねじに沿って互いに好ましくは一定の第一の距離に配設される。
【０００７】
投薬量設定機構は、注射装置又は注射装置のハウジング部分と固定状態に接続されることが好ましい第一の回転制限要素も有している。回転制限要素は、ねじ付きロッドの歯部と掛け止めし得る設計とされた少なくとも１つ、特に、１つ、２つ、３つ、４つ又はより多くの捕捉要素を有する。１つ又はより多くの捕捉要素が歯部と掛け止めしたとき、ねじ付きロッドは、好ましくは、一方向にのみ、例えば、時計回り方向又は反時計回り方向に向けて捕捉要素に対して回転させ又はねじ込み、注射装置の末端に向けた方向に回転するようにすることができる。それは、捕捉要素の力がねじロッドに伝達され又は、ねじ付きロッドは捕捉要素により保持されるため、別の方向への回転は阻止されるからである。
【０００８】
歯部の歯は、ねじ付きロッドに対して垂直に伸びる接触側部と、ねじ付きロッドに対して角度を付けて配設された摺動側部とを有することができる非弾性的な鋸歯状カムの形態にて提供されることが好ましい。かかるカムを有する捕捉要素が掛け止めするねじ付きロッドは、一方向にのみ回転させることができ、この方向に向けて、捕捉要素は角度を付けた摺動面に沿って摺動することができる。この場合、ねじ付きロッドに対して半径方向に変位可能であることが好ましい回転制限要素の捕捉要素は、これに応じて又は摺動側部のピッチに沿って半径方向への動きを実行することができる。捕捉接続部又は掛け止め動作が実行されるとき、反対方向へ向けて動くことはできない。それは、捕捉要素は、カムの垂直な接触側部上を摺動し、このため、意図する回転又は回転方向に対抗する力を作用させ、これにより回転を阻止し且つ、歯付きロッドを確実に保持することができるからである。
【０００９】
本発明により提案される投薬量設定機構は、注射装置の回転スリーブと固定状態に接続され、少なくとも１つ、好ましくは、１つ、２つ、３つ、４つ又はより多くの捕捉要素を有する第二の回転制限要素も備えている。
【００１０】
第一及び第二の回転制限要素の各々は、２つ又は３つの捕捉要素を有することが好ましい。第二の回転制限要素の少なくとも１つの捕捉要素は、第一の回転制限要素の少なくとも１つの捕捉要素と正確に同一の設計とするか又は相違するものとすることができる。第二の回転制限要素の少なくとも１つの捕捉要素は、該要素が上述したようにねじ付きロッドの歯部と掛け止めするのを許容するような設計とされている。第二の回転制限要素は、長手方向に向けて第一の回転制限要素から離れた距離に配設されることが好ましい。
【００１１】
回転スリーブと接続され又は連結された投薬量設定ノブを回し又は引っ張り、これにより回転スリーブと接続された第二の回転制限要素が基端方向に向けて又は注射可能な製剤の分与方向に対して反対方向に向けてねじ付きロッドに対して動くようにすることで投薬量を設定することができる。一方、ねじ付きロッドは、第一の回転制限要素との掛け止め動作によって静止状態に保持されることが好ましい。投薬量設定ノブを押すと、ねじ付きロッドは、投薬量設定ノブにより回転スリーブに伝達された力及び回転スリーブと接続された第二の回転制限要素によりねじ付きロッドに伝達された力によって生じた、第一の回転制限要素に対する回転運動及び平行移動の動きを案内する。その結果、注射可能な製剤の設定された投薬分が分与される。
【００１２】
精密な投薬量を設定するため、第一及び第二の回転制限要素の少なくとも１つの捕捉要素は、回転制限要素の少なくとも１つ、好ましくは、第二の回転制限要素をねじ付きロッドの周方向に向けて歯部の歯の間の第一の距離よりも短い距離だけ回転させることにより行われる投薬量が設定されたとき、少なくとも１つの捕捉要素は中間位置にて掛け止めすることができるように配設され且つ設計とされている。当初の位置又は回転経路から又はねじ付きロッドに対して回転制限要素の少なくとも１つ又は２つ以上の中間位置に到達する前にカバーされる経路から中間位置までの距離は、周方向に向けた歯部の歯の間の第一の距離よりも短い。従来の投薬量設定機構の場合、歯部の２つの隣接する歯の間の距離よりも短い回転運動の結果、歯付きロッドは、当初の位置又は初期位置まで摺動して戻り、このため投薬量は設定されないであろう。従来の投薬量設定機構の場合、２つの隣接する歯の間の距離に少なくとも相応する回転経路により最少投薬量のみを設定することができる。本発明により提案される投薬量設定機構の場合、１つの歯から隣接する歯への回転により実現し又は設定することのできる投薬量よりも短い中間位置を設定することにより、投薬量を実現し又は設定することができる。
【００１３】
ねじ付きロッドの長手方向に向けて互いに隣接して配設された歯、換言すれば長手方向軸線に対して平行に伸びる線にて又は長手方向軸線に沿って伸びるジグザグ線にて長手方向軸線に沿って伸びる歯は、ねじ付きロッドの周方向に向けて同一の位置に配設し、歯部の歯がねじ付きロッドの長手方向軸線に対して平行なねじ付きロッドの線にて長手方向軸線に沿って位置するようにすることができる。ねじ付きロッドの長手方向に向けて互いに隣接する歯は、例えば、ねじ付きロッドの長手方向軸線に対してある角度にて周方向に向けて互いに変位した位置に配置され、長手方向軸線に対して平行な線に沿って伸びる長手方向に向けて直接隣接する歯が存在しないようにすることが好ましい。長手方向に向けて角度を付けて配設された隣接する歯の周方向への距離は、長手方向に向けて同一の位置に配設された歯の間の第一の距離の１／２に相応する。しかし、この距離は、第一の距離の１／３又は１／４とすることもできる。例えば、１つ又は双方の回転制限要素にｎ（ｎ  ｅ  Ｎ）の捕捉要素が設けられる場合、ねじ付きロッドの長手方向軸線に対してある角度にて伸びる隣接する歯は、同一の位置にて且つ周方向に向けて互いに隣接する位置に配設された歯の間の第一の距離の１／ｎに相応する、周方向に向けた互いからの距離に配設される。ねじ付きロッドの長手方向に向けて角度を成して且つ回転制限要素又は捕捉要素の便宜な選択に基づき又は回転制限要素又は捕捉要素の適宜な設計又は適宜な配設に基づいて、隣接する歯を提供することにより、益々精密な投薬量を設定することができる。
【００１４】
特に、回転制限要素の１つ又は双方は、ねじ付きロッドの周方向に沿って配設され且つ歯部に係合することができる２つ又はより多くの捕捉要素を有することができる。例えば、２つの捕捉要素は、互いに実質的に対向した位置にあり、正確に又は特に対向して位置する位置からの偏差を変位状態によって説明することができるようにする。２つの捕捉要素は、歯付きロッドの円周の実質的に１／２に相応する円周に沿って互いにある距離に配設することができる。歯付きロッドの円周の正確に１／２からの偏差は、捕捉要素の互いの変位によって説明することができる。特に、捕捉要素が歯部と掛け止めするとき、歯付きロッドの表面又は円周にて直接位置する捕捉要素の係合する先端は、かかる距離にて又は互いに変位した状態に配設される。このため、捕捉要素間の変位は、歯部の歯間の第一の距離の１／２であることが好ましい。また、ねじ付きロッドの円周に沿って３つの捕捉要素を配設することもできる。これらの捕捉要素は、ねじ付きロッドの円周の１／３に相応する互いの距離にて実質的に配設される。３つの捕捉要素がそれぞれ正確に１／３だけ変位する程度は、歯部の歯のそれぞれからの距離の１／３であることが好ましい。例えば、ｎ個の捕捉要素がねじ付きロッドの円周の回りにて回転制限要素上に配設される場合、ねじ付きロッドの周方向に向けた隣接する捕捉要素の互いの変位は、歯の間の第一の距離の１／ｎであることが好ましい。捕捉要素が互いに変位しているため、捕捉要素は、歯部と交番的に掛け止めし、投薬量を設定し又は投薬量を分与することができる。交番的に掛け止めする配置のため、より少量の投薬量を設定し且つ分与することができる。１つの回転制限要素当たり２つの捕捉要素を使用するとき、周方向への変位程度が歯の間の第一の距離の１／２である場合、このような変位をしない場合の半分の量の投薬量を設定することができる。
【００１５】
１つの捕捉要素又は幾つかの捕捉要素は、単一の係合先端ではなくて、例えば、２つ、３つ、４つ、又はより多くの係合要素のような複数の係合要素を有することができる。これらの係合要素は、互いに一定の係合要素の距離に配設されることが好ましい。１つの捕捉要素当たり２つの係合要素を使用する場合、この係合要素の距離を例えば歯の互いに第一の距離の１／２とし、又は１つの捕捉要素当たり３つの係合要素を使用する場合、第一の距離の１／３に相応するものとすることができる。１つの捕捉要素に、例えば、ｎ個の係合要素が配設される場合、係合要素間の距離は、歯部の歯の間の第一の距離の１／ｎであることが好ましい。１つ又はより多くの捕捉要素にて２つ又はより多くの係合要素を提供することにより、投薬量設定機構によってより精密な投薬量を設定し且つ、捕捉要素の互いの変位状態に関して上述したように、注射装置にて投与することができる。
【００１６】
長手方向に向けて互いに第二の距離に配設されたねじ付きロッドの長手方向に向けて２つ又はより多くの歯を提供することが好ましく、又はねじ付きロッドの長手方向軸線に沿った歯部の隣接する歯の全ては、互いに第二の一定の距離に配設することができる。回転制限要素の又は双方の回転制限要素の捕捉要素は、ねじ付きロッドの長手方向に向けて同一の位置に配設し又はねじ付きロッドの長手方向に向けて互いに隔てられるようにしてもよい。長手方向に向けた回転制限要素の捕捉要素間の距離は、長手方向に向けた隣接する歯の互いの第二の距離に相応し、歯部は捕捉要素に沿って案内し、捕捉要素が歯部の歯の各々と掛け止めし又は係合するようにすることが好ましい。
【００１７】
歯部の１つの歯よりも幅が広い１つの捕捉要素又は幾つかの捕捉要素を提供することが好ましい。これらの捕捉要素は、好ましくは、ねじ付きロッドの長手方向軸線に沿った２つ、３つ、４つ又はより多くの歯に沿って伸びるものとする。長手方向に向けて隣接する歯が、例えば、周方向に向けて同一の位置に配設される場合、隣接する歯は、このため、ねじ付きロッドの長手方向軸線に対して平行な線にて長手方向に向けて伸び、また、１つの捕捉要素は２つ、３つ、４つ又はより多くの歯に沿って伸び且つ、平行な線上に配設された歯の各々と掛け止めすることができる。周方向に向けて互いに隣接する歯部の歯が角度を付けられ又は長手方向に向けて互いに隣接する歯が周方向に向けて互いから変位される場合、幅の広い捕捉要素は、２つ、３つ又は４つの歯に沿って伸びるが、例えば、第一の歯とのみ又は第一及び第三の歯と掛け止めするようにすることができる。幅の広い捕捉要素は、ねじ付きロッドに対して動き又は回転して、例えば、投薬量を設定し又は分与する場合、その幅の広い捕捉要素は、第二の歯又は第二の歯及び第四の歯と掛け止めし且つ、その他の歯から非係合状態となり、再度掛け止めする前に、捕捉要素に対するねじ付きロッドのより小さいすなわち精密な回転運動を実行することができる。このことは、より精密な投薬量を設定することを可能にする。
【００１８】
より精密な投薬量を設定するための異なる選択肢に基づいて、投薬量設定機構の当初の状態のような第一の状態にあるとき、第一の捕捉要素の接触側部は、歯部の１つの歯の協働する止め部に対向して位置し、歯付きロッドの回転を許容し又は阻止し得るようにすることが好ましい。この第一の状態にあるとき、同一の回転制限要素の第二の捕捉要素の接触側部は、協働する止め部上ではなくて、歯部の１つの歯の摺動する側部上に位置し、ねじ付きロッドが、例えば、その歯に沿って動くことができるようにすることが好ましい。例えば、プライミング操作を行った後、歯付きロッドが第二の状態まで動いたとき、第一の捕捉要素の接触側部は、１つの歯の協働する止め部に対向して位置せず、その代わり、第二の捕捉要素の接触側部は、歯部の１つの歯の協働する止め部に対向して位置する。
【００１９】
周方向に向けた歯部の歯の第一の距離は、ねじ付きロッドの長手方向に向けた隣接する歯の第二の距離よりも短いことが好ましく、この場合、第二の距離は、第一の距離よりも短くすることもできる。
【００２０】
歯部は、ねじ付きロッドの全長に渡ってねじ付きロッドのねじに沿って伸びることが好ましい。歯部は、断続的にのみ、例えば、相互に隣接し又は隔てられた部分に設けることもでき、この場合、歯部は、例えば、互いの歯の距離がその部分にて同一とし又は相違するものとすることができる。
【００２１】
本発明の別の形態のため、注射可能な製剤の設定された投薬量を注射装置から投与する投薬量設定機構は、ねじ付きロッドを有しており、該ねじ付きロッドは、歯部に代えて、ねじ付きロッドの円周の回りにて伸びるねじ形状の案内溝を有しており、この場合、複数の係合要素が案内溝の部分の間にてねじ付きロッドの長手方向軸線に沿って提供される。特に、係合要素が長手方向に向けて各案内溝部分と隣接する案内溝部分との間に配設されるような態様にて、係合要素は、ねじ付きロッド上に配設される。特に、係合要素は、これらの係合要素をねじ付きロッドの長手方向軸線に対して平行な線上にてねじ付きロッドの長手方向軸線に沿って配設されるような態様にて、ねじ付きロッド上に配設することもできる。
【００２２】
投薬量設定機構は、注射装置又は注射装置のハウジング部分と接続された第一の回転制限要素を有しており、該第一の回転制限要素は、ねじ付きロッドを完全に取り囲むことが好ましく且つ、円筒状の形状又は開放円筒体として設計され、その内面にて１つ又はより多くの案内要素及び歯部が設けられることが好ましい。１つ又は２つ以上の案内要素は、ねじ付きロッドが案内溝内に係合するのを可能にし、回転制限要素はねじ付きロッドに沿い又はねじ付きロッドの案内溝に沿って動かし、ねじ付きロッドに対する回転運動及び平行移動の動きを実行し得るような設計とされる。回転制限要素の内面に設けられた歯部は、該歯部がねじ付きロッド上に配設された係合要素と掛け止めし且つ、例えば、ねじ付きロッドに力を伝達してねじ付きロッドを保持し又は動かすことができるような設計又は配設とされる。周方向に向けて互いに隣接してねじ付きロッドの長手方向に向けて同一の位置に配設された歯部の歯は、周方向に向けて互いに第一の距離に配設される。
【００２３】
投薬量設定機構は、注射装置の回転スリーブと接続され且つ特に、ねじ付きロッドを完全に取り囲む第二の回転制限要素も有している。回転スリーブと接続された第二の回転制限要素は、注射装置と接続された第一の回転制限要素と正確に同一であり、また、該第二の回転制限要素は、歯付きロッドの案内溝内に係合することができる、内面における１つ又は２つ以上の案内要素と、ねじ付きロッドの係合要素と掛け止めすることができる内面における歯部とを有することが好ましい。ねじ付きロッドの周方向に向けた歯部の隣接する歯は、互いに第一の距離に配設される。
【００２４】
精密な投薬量を設定することを可能にするため、回転制限要素の歯部はねじ付きロッドが歯部の歯の第一の距離よりも短い距離だけ互いに１つ又は双方の回転制限要素に対して回転したとき、ねじ付きロッドの少なくとも１つの係合要素が第二の位置にて歯部と掛け止めすることができるような配設又は設計とされている。このため、第二の位置にて掛止点までカバーされる距離は、長手方向に向けて互いに隣接する、長手方向に向けた同一の位置に配置された歯の間の掛止点にまでカバーされる距離よりも短い。このことは、周方向に向けてのみ隣接する歯の間の掛け止めを許容する従来の投薬量設定機構の場合よりも精密な投薬量を実現することを可能にする。第一及び第二の回転制限要素の内面における歯部は、回転制限要素の長手方向に向けて互いに変位して配設された２つ、３つ、４つ、５つ、６つ又はより多くの組みの部分歯部を備えることができる。長手方向に向けた隣接する部分歯部の隣接する歯は、回転制限要素の周方向に向けて互いに変位した状態に配設されることが好ましい。また、回転制限要素の長手方向に向けた位置と同一の位置に配設された、周方向に向けて２つの隣接する歯の間の第一の距離の１／２又は１／３又は１／４又は１／５又は１／６に相応する互いの距離に配設されることが好ましい。また、回転制限要素の長手方向に向けて回転制限要素にｎ組みの部分歯部を提供することも可能であろう。隣接する組みの部分歯部の回転制限要素の長手方向に向けた隣接する歯は、周方向に向けた第一の距離の１／ｎだけ互いに隔てられることが好ましい。
【００２５】
歯部は、回転制限要素の全長を渡って回転制限要素の内面に設けるか、又は断続的に配設することができる。例えば、歯部の歯は、回転制限要素の周方向に向けて互いに一定の距離にて回転制限要素の長手方向軸線に沿った第一の部分に配設し、また、回転制限要素の長手方向軸線に沿った隣接し又は連続する第二の部分に配設し、第一の部分における距離と相違する、回転制限要素の周方向への距離は一定とする。
【００２６】
本発明は、好ましい実施の形態の例に基づいて以下に更に詳細に説明する。
【発明を実施するための最良の形態】
【００２７】
図１ａないし図１ｆには、本発明の第一の実施の形態に基づいたねじ付きロッド２を有する投薬量設定機構１の細部及び部分が示されている。ねじ付きロッド２は、ねじ付きロッド２の周方向に向けた歯部３を有するねじを備え、歯部３の２つのそれぞれの歯は、図１ｃにて見ることができるように、長手方向に向けて互いに連続し又は隣接する位置に位置している。この実施の形態は、２つの相互に連続し又は相互に隣接する組みの歯部３ａ、３ｂが１つ又はより多くのねじによって支承され且つ、ねじ付きロッド２の回りを伸びるような構造とすることもできる。従って、ねじ付きロッド２の長手方向に向けた歯部３の隣接する歯又は長手方向に向けて互いに連続する組みの歯部３ａ、３ｂは、互いに変位されている。ねじ付きロッド２の長手方向に向けて互いに連続する歯部は、長手方向に向けて互いに第二の距離Ａ２に配設され、周方向に向けた歯部３の隣接する歯は、互いに第一の距離Ａ１に配設される。回転制限要素４がねじ付きロッド２の回りに位置し且つ、注射装置又は注射装置のハウジング部分と接続されている。該回転制限要素は、ねじ付きロッド２の周方向に向けて互いから変位された状態に配設された２つの捕捉要素５ａ、５ｂを有している。捕捉要素５ａ、５ｂは、図１ｆから見ることができるよう、ねじ付きロッド２の長手方向に向けて互いに変位されている。また、この変位は、長手方向に向けた隣接する歯又は長手方向に向けた歯部３の連続する歯の第二の距離Ａ２に相応し、このため、歯部３は、常に捕捉要素５ａ、５ｂに沿って案内される。ねじ付きロッド２の周方向に向けて、捕捉要素５ａ、５ｂは、互いに正確に対向する位置に位置せず、このため、捕捉要素５ａ、５ｂの２つの係合する先端６ａ、６ｂの間のねじ付きロッド２の周方向に沿った距離は、ねじ付きロッド２の円周の１／２に正確に相応せず、又は係合する先端６ａ、６ｂの仮想伸長部は、ねじ付きロッド２の中心点又は長手方向軸線内にて交差しない。捕捉要素５ａ、５ｂの間の距離の点にて、正確に１／２の円周からの距離は捕捉要素５ａ、５ｂ間の変位として説明される。捕捉要素５ａ、５ｂ間の変位は、長手方向に向けて同一の位置に配設された歯部３の２つの歯の間の周方向に向けた第一の距離Ａ１の正確に１／２であり、このため、１つの捕捉要素５ａは、歯部３と掛け止めする一方、他方の捕捉要素５ｂは、図１ｂにて見ることができるように、歯部３と掛け止めしない。例えば、投薬量を設定するため、２つの隣接する歯の間の第一の距離Ａ１よりも短い程度又は距離だけ捕捉要素５ａ、５ｂがねじ付きロッド２に対して回転したとき、歯部３との第一の捕捉要素５ａの捕捉接続は解除されるが、第一の捕捉要素５ａは、再度、第一の距離Ａ１だけ隔てられた隣接する歯と掛け止めせず、その代わり、第二の捕捉要素５ｂは、中間位置にて歯部３と掛け止めし、このため、第二の捕捉要素５ｂは、その当初に位置に隣接する歯と掛け止めする。再度、回転したとき、歯部３との第二の捕捉要素５ｂの捕捉接続状態は解除され、第一の捕捉要素５ａは、既に、第一の距離Ａ１より短い第一の距離の後、その以前の位置に隣接する位置にて歯と掛け止めすることができる。その結果、周方向に向けて隣接する歯内にそれぞれ動くことができる捕捉要素５ａ、５ｂによって最少投薬量の設定状態が実現される、投薬量設定機構１による場合よりも少量の投薬量を設定することができる。
【００２８】
図２ａないし図２ｆには、本発明の第二の実施の形態に基づいたねじ付きロッド２を有する投薬量設定機構１の細部及び部分が示されている。歯部３は、１つのねじに沿ってねじ付きロッド２の回りを均一に伸びている。ねじ付きロッド２の歯は、周方向に向けて互いに第一の一定の距離Ａ１に配設され且つ、長手方向に向けて互いに第二の一定の距離Ａ２に配設されている。長手方向に向けた隣接する歯は、ねじ付きロッド２の周方向に向けて同一の位置に配設されるか又は互いから変位されていない。第一の実施の形態におけるように、図２ｅにて見ることができる理想的な対向する位置と比較して、捕捉要素５ａ、５ｂは変位しているため、この実施の形態により、特に、より精密な投薬量を実現することができる。この場合にも、変位量は周方向に向けた互いの歯の第一の距離Ａ１の１／２である。更に、２つの係合要素７ａ、７ｂが捕捉要素５ａ、５ｂの各々に設けられており、それらの間の距離は、距離Ａ１の１／２に相応するため、より精密な投薬量設定値を実現することができる。回転制限要素４が周方向に向けた互いの歯の距離Ａ１よりも短い量だけ反時計回り方向に向けてねじ付きロッド２に対して、図２ｂに示した基本位置から回転したとき、捕捉要素５ａ、５ｂの少なくとも１つは、既に距離Ａ１の１／２に相応する距離の後、同一の又は後続の又は隣接する歯と掛け止めし、歯が周方向に向けて互いに同一の距離Ａ１に配設されるその他の投薬量設定機構１にて実現することができる量の１／２の投薬量を設定することができる。
【００２９】
図３ａないし図３ｆには、本発明の第三の実施の形態に基づいたねじ付きロッド２を有する投薬量設定機構１の細部及び部分が示されている。歯部３は、ねじ付きロッド２のねじに沿ってねじ付きロッド２の周方向に向けて設けられている。ねじ付きロッド２の周方向に向けた隣接する歯は、互いに一定の第一の距離Ａ１に配設され、また、角度を付けて隣接する歯のような、長手方向に向けて隣接する歯は、ねじ付きロッド２の長手方向に向けて互いに離れた第二の一定の距離Ａ２に配設される。２つの歯がねじ付きロッド２の長手方向に向けて互いにそれぞれ変位した位置に配設される、換言すれば、これらの歯は、ねじ付きロッド２の周方向に向けて同一の位置を有しないから、特に、この実施の形態によりより精密な投薬量が実現される。更に、２つの捕捉要素５ａ、５ｂは、より精密な投薬量を設定することができることを保証する２つの係合要素７ａ、７ｂを有している。例えば、図３ｂに示したように、捕捉要素５ａ、５ｂの一方が歯部３と掛け止めすると、ねじ付きロッド２に対して垂直に伸びる捕捉要素５ａの接触側部は、ねじ付きロッド２に対して垂直に伸びる歯又はカムの協働する接触側部に対向して位置し、このため、ねじ付きロッドは、時計回り方向に向けて捕捉要素５ａ、５ｂに対して回転することができず、又は、捕捉要素５ａ、５ｂは反時計回り方向に向けてねじ付きロッドに対して回転することはできない。それは、この動く方向は、例えば、歯部３と掛け止めした捕捉要素５ａによってブロックされるからである。また、ねじ付きロッド２は、反時計回り方向に向けてのみ捕捉要素５ａ、５ｂに対して回転することができ、又は捕捉要素５ａ、５ｂは、時計回り方向に向けてのみねじ付きロッド２に対して回転することができる。捕捉要素５ａ、５ｂが、例えば、ある投薬量を設定するため、周方向に向けて２つの隣接する歯の間の距離Ａ１よりも短い量だけねじ付きロッド２に対して時計回り方向に回転したとき、捕捉要素５ａ、５ｂの少なくとも一方は、距離Ａ１に相応する距離をカバーする前に中間位置にて再度、歯部と掛け止めする。この特定の実施の形態にてカバーされる距離は、第一の距離Ａ１の１／２に相応するが、歯部３及び捕捉要素５ａ、５ｂの配設位置に依存して、第一の距離Ａ１の１／３、１／４又はその他の何分の１とすることもできる。中間位置において、歯部３の歯は、少なくとも１つの捕捉要素５ａ、５ｂの２つの係合要素間に位置し、又は捕捉要素５ａ、５ｂの少なくとも一方の接触側部は、１つの歯の協働する止め部に対向して位置する。可能な限り最小の投薬量を設定するため、捕捉要素５ａ、５ｂを２つの歯の間の距離Ａ１の１／２に相応する回転量だけ、別の捕捉接続部又は別の掛け止め位置遠方に回転させることが可能であるから、投薬量設定機構１を使用して、２倍の精密な投薬量を設定し又は１／２の大きさの投薬量を設定し且つ分与することができる。
【００３０】
図４ａないし図４ｆには、本発明の第四の実施の形態に基づいた投薬量設定機構の細部及び部分が図示されている。ねじ付きロッド２は、該ロッドの回りを伸びるねじ形状の案内溝１１と、複数の係合要素１２とを有している。係合要素１２は、ねじ付きロッド２の長手方向軸線に対して平行な線に沿って配設されている。投薬量設定機構１は、例えば、注射装置又は注射装置の回転スリーブと接続することができる回転制限要素４も有している。回転制限要素４は、内面に歯部１４と、案内要素１３とを有している。案内要素１３は、該案内要素がねじ付きロッドの案内溝１１に係合し且つ、ねじ付きロッド２に沿って案内され、また回転することができ、回転制限要素４がねじ付きロッド２に対して相対的な回転運動及び相対的な平行移動の動きを実行することができるような設計とされている。回転制限要素４の歯部１４は、回転制限要素の長手方向に向けて第一の部分歯部１４ａから変位した状態に配設された第一の部分歯部１４ａと、第二の部分歯部１４ｂとを有する設計とされている。各組みの部分歯部１４ａ、１４ｂの隣接する歯の周方向に向けた互いの距離は、第一の距離Ａ１に相応する。長手方向に向けた部分歯部１４ａ、１４ｂの隣接し又は角度を付けて隣接する歯は、回転制限要素４の周方向に向けて互いに変位した状態に配設され、また、その変位程度は、周方向に向けた部分歯部１４ａ、１４ｂの２つの隣接する歯の間の第一の距離Ａ１の１／２に相応する。変位程度は、第一の距離Ａ１の１／３、１／４又は任意のその他の何分の１かに相応することもできる。この変位状態の結果、２組みの部分歯部１４ａ、１４ｂは、ねじ付きロッドの係合要素１２の１つと交互に掛け止めすることができる。交互の掛け止め動作のため、部分歯部１４ａ、１４ｂの隣接する歯が周方向に向けて係合要素１２の１つと係合する状況よりも、捕捉位置又は掛け止め位置に到達するため、より精密な回転運動を実行することができる。複数組みの部分歯部１４ａ、１４ｂの長手方向に向けて隣接する歯は、周方向に向けて互いに第一の距離Ａ１の１／２に配設されているから、従来の回転制限要素を使用する場合と比較して、投薬量設定機構により２倍精密な投薬量を設定することができる。
【００３１】
図５ａ、図５ｂ及び図５ｃには、本発明により提案される投薬量設定機構の１つの実施の形態と共に、注射装置が示されている。図５ａ、図５ｂには、注射装置内に完全にねじ込まれた回転スリーブ３０が示されている。該回転スリーブ３０は、注射装置ハウジング１０ａの内ねじ１０ｂ内にて外ねじ３０ｃにより案内され、また、内ねじ３０ｄを有している。図５ｃに示すように、回転スリーブ３０を外方に回転させることにより、注射装置がプライミングされると、回転することができないが、軸方向に摺動可能であるようにねじ付きロッド２に取り付けられた係止要素５０を有するねじ付きロッド２は、注射装置又は注射装置のハウジング部分１０ａと接続された回転制限要素６０ｂにより保持され、ねじ付きロッドは、注射装置のハウジング１０ａに対して回転することができない。一方、回転スリーブ３０を矢印Ｐ１で示した回転方向に向けてハウジング１０ａから回転させる、回転スリーブ３０と接続された回転制限要素６０ａは、ねじ付きロッド２のねじ２ｂの歯部とブロッキング係合しない。回転制限要素６０ａは、ねじ付きロッド２の回りを弾性的に伸びるアーム６０ｇ上に取り付けられた捕捉要素を有する。例えば、回転ノブ１０ａを押すことにより、回転ノブ３０ａ内にて回転し得るように取り付けられた回転スリーブ３０が、図５ｃに矢印Ｐ２で示した方向に向けて回転すると、回転スリーブ３０の回転制限要素６０ａの係合要素は、ねじ付きロッド２のねじ２ａの歯部と係合し、このため、回転スリーブ３０がねじ込まれると、ねじ付きロッド２は、回転スリーブ３０と連結され且つ、回転が阻止されると共に、回転スリーブと共に駆動され且つ回転する。回転スリーブ３０は、設定係止カム２０ａを有する設定スリーブ２０の前端又は末端が注射装置の内側止め部に対向する位置に位置する迄、ねじ込むこともできる。注射装置の回転制限要素６０ｂは、ねじ付きロッド２が注射装置又はハウジング１０ａに対して回転するのを許容し、このため、ねじ付きロッド２は、回転スリーブ３０によって回転し且つ、注射装置又はハウジング１０ａの内ねじ内を案内され、このため、末端方向に向けてハウジング１０ａからねじ抜きされて、設定され且つプライミングされた投薬量を分与する。次に、図５ｃにて矢印Ｐ１で示した方向に向けて回転スリーブ３０を押し出すことにより、注射装置をプライミングすることができる。
【図面の簡単な説明】
【００３２】
【図１】１ａは、本発明により提案される投薬量設定機構の第一の実施の形態を示す詳細図である。１ｂは、本発明により提案される投薬量設定機構の第一の実施の形態を示す正面図である。１ｃは、本発明により提案される投薬量設定機構の第一の実施の形態によるねじ付きロッドを示す側面図である。１ｄは、本発明により提案される投薬量設定機構の第一の実施の形態によるねじ付きロッドを示す別の図である。１ｅは、本発明により提案される投薬量設定機構の第一の実施の形態による回転制限要素を示す図である。１ｆは、本発明により提案される投薬量設定機構の第一の実施の形態による回転制限要素を示す別の図である。
【図２】２ａは、本発明により提案される投薬量設定機構の第二の実施の形態を示す詳細図である。２ｂは、本発明により提案される投薬量設定機構の第二の実施の形態を示す正面図である。２ｃは、本発明により提案される投薬量設定機構の第二の実施の形態によるねじ付きロッドを示す側面図である。２ｄは、本発明により提案される投薬量設定機構の第二の実施の形態によるねじ付きロッドを示す別の図である。２ｅは、本発明により提案される投薬量設定機構の第二の実施の形態による回転制限要素を示す図である。２ｆは、本発明により提案される投薬量設定機構の第二の実施の形態による回転制限要素を示す別の図である。
【図３】３ａは、本発明により提案される投薬量設定機構の第三の実施の形態を示す詳細図である。３ｂは、本発明により提案される投薬量設定機構の第三の実施の形態を示す正面図である。３ｃは、本発明により提案される投薬量設定機構の第三の実施の形態によるねじ付きロッドを示す側面図である。３ｄは、本発明により提案される投薬量設定機構の第三の実施の形態によるねじ付きロッドを示す別の図である。３ｅは、本発明により提案される投薬量設定機構の第三の実施の形態による回転制限要素を示す図である。３ｆは、本発明により提案される投薬量設定機構の第三の実施の形態による回転制限要素を示す別の図である。
【図４】４ａは、本発明により提案される投薬量設定機構の第四の実施の形態を示す詳細図である。４ｂは、本発明により提案される投薬量設定機構の第四の実施の形態を示す正面図である。４ｃは、本発明により提案される投薬量設定機構の第四の実施の形態によるねじ付きロッドを示す側面図である。４ｄは、本発明により提案される投薬量設定機構の第四の実施の形態によるねじ付きロッドを示す別の図である。４ｅは、本発明により提案される投薬量設定機構の第四の実施の形態による回転制限要素を示す図である。４ｆは、本発明により提案される投薬量設定機構の第四の実施の形態による回転制限要素を示す別の図である。
【図５】５ａは、回転スリーブが注射装置内に完全に回転した、本発明により提案される投薬量設定機構の１つの実施の形態を有する注射装置の図である。５ｂは、図５ａに示した注射装置の断面図である。５ｃは、回転スリーブがプライミングされた、図５ａの注射装置の断面図である。
【図１ａ】
2008532581.tif 000003
【図１ｂ】
2008532581.tif 000004
【図１ｃ】
2008532581.tif 000005
【図１ｄ】
2008532581.tif 000006
【図１ｅ】
2008532581.tif 000007
【図１ｆ】
2008532581.tif 000008
【図２ａ】
2008532581.tif 000009
【図２ｂ】
2008532581.tif 000010
【図２ｃ】
2008532581.tif 000011
【図２ｄ】
2008532581.tif 000012
【図２ｅ】
2008532581.tif 000013
【図２ｆ】
2008532581.tif 000014
【図３ａ】
2008532581.tif 000015
【図３ｂ】
2008532581.tif 000016
【図３ｃ】
2008532581.tif 000017
【図３ｄ】
2008532581.tif 000018
【図３ｅ】
2008532581.tif 000019
【図３ｆ】
2008532581.tif 000020
【図４ａ】
2008532581.tif 000021
【図４ｂ】
2008532581.tif 000022
【図４ｃ】
2008532581.tif 000023
【図４ｄ】
2008532581.tif 000024
【図４ｅ】
2008532581.tif 000025
【図４ｆ】
2008532581.tif 000026
【図５ａ】
2008532581.tif 000027
【図５ｂ】
2008532581.tif 000028
【図５ｃ】
2008532581.tif 000029
【国際調査報告】
2008532581.tif 000030
2008532581.tif 000031
2008532581.tif 000032
2008532581.tif 000033
2008532581.tif 000034
2008532581.tif 000035